(57)【特許請求の範囲】
【請求項１】
折り目の両側に、用紙などのシートの綴り孔に通すための帯状の綴じバンドが連結された綴じバンド用プレート及び前記綴じバンドを通して係止するための係止部を形成した綴じバンド係止プレートを折り目を介して１枚の綴じプレートで形成したシートの綴じ具において、前記綴じバンド係止プレートに前記折り目に平行に背表紙形成用折り目を形成し、前記折り目と前記背表紙形成用折り目の間に複数の台形の切り抜き孔を形成して前記背表紙形成用折り目の長さを前記折り目より長くし、シートの綴じ具を折り目に沿って二つ折りして重ねた時に、前記綴じバンドの基部を前記係止部より折り目側に位置するようにずらせて形成することを特徴とするシートの綴じ具。
【請求項２】
綴じバンド係止プレートに綴じバンドをガイドするガイド孔を形成するとともに、綴じバンド係止プレートに折り曲げ可能な係止部形成部を形成し、この係止部形成部に綴じバンドを係止する係止部を形成したことを特徴とする請求項１記載のシートの綴じ具。
【請求項３】
前記綴じバンドの先端にバンド幅より大きい幅の抜け止めを形成するとともに、前記係止部に綴じバンドの抜け止めが挿入できる長さの抜け止め挿入部を連続して形成したことを特徴とする請求項１または２記載のシートの綴じ具。
【請求項４】
請求項１、２または請求項３記載のシートの綴じ具を表紙に取り付けたことを特徴とするファイル。
【発明の詳細な説明】
【０００１】
【発明の属する技術分野】
本発明は、綴じ孔を有する用紙、書類、カードなどのシートを綴じた状態から開いた際に、シートを両側に平面状に見開きすることができるシートの綴じ具及びファイルに関する。
【０００２】
【従来の技術】
綴じ孔を有する用紙や書類などのシートの綴じ具として、例えば、背表紙に複数の円弧状のリングが片側あるいは両側に回動自在に配置され、リングを、シートの綴じ孔に通し回動させて綴じるものが知られている。この円弧状のリングを利用した綴じ具は、シートを綴じた状態から開いた場合、リングに沿ってシートの綴り孔を表紙側あるいは裏表紙側に移動させさせることにより、シートを両側に平面状に見開きできるので、綴り孔付近は曲がることがないので読みやすく、また、例えば、シートをコピーする際には開いたリングから外しやすく且つコピー後に綴じる際には綴り孔をリングに通してリングを回動させることで容易に綴じ込むことができる。
【０００３】
【発明が解決しようとする課題】
しかしながら、前述の従来のリングを利用した綴じ具では、綴じたとき、リングが表紙側と裏表紙側の間に収まり且つリングを回動自在に配置するための機構を背表紙に設けるための幅が必要であるため、背表紙の幅が加減できない。そのため、少ない枚数を綴じる場合でも一定の幅を備えたファイルが必要で、多数のファイルを保管する際にはシートの枚数の多少に関わらず、一定のスペースを必要とする。また、シートの枚数の多少によっては、それぞれ専用の綴り具を用意しなくてはならないという欠点がある。
【０００４】
そこで、本発明は、綴じたシートを両側に平面状に見開きできるとともに、ファイルを完全に綴じた状態において綴じるシートの枚数に応じて綴じ具とファイルの背の幅を変えることができる、シートの綴じ具及びファイルを提供するものである。
【０００５】
【課題を解決するための手段】
本発明の綴じ具は、折り目の両側に、用紙などのシートの綴り孔に通すための帯状の綴じバンドが連結された綴じバンド用プレート及び前記綴じバンドを通して係止するための係止部を形成した綴じバンド係止プレートを折り目を介して１枚の綴じプレートで形成したシートの綴じ具において、前記綴じバンド係止プレートに前記折り目に平行に背表紙形成用折り目を形成し、前記折り目と前記背表紙形成用折り目の間に複数の台形の切り抜き孔を形成して前記背表紙形成用折り目の長さを前記折り目より長くし、シートの綴じ具を折り目に沿って二つ折りして重ねた時に、前記綴じバンドの基部を前記係止部より折り目側に位置するようにずらせて形成することを特徴とする
【０００６】
また、本発明のファイルは、前記綴じ具を表紙に取り付けたことを特徴とする。
【０００７】
【発明の実施の形態】
本発明の綴じ具は、前記構成において、綴じバンド係止プレートに綴じバンドをガイドするガイド孔を形成するとともに、綴じバンド係止プレートに折り曲げ可能な係止部形成部を形成し、この係止部形成部に綴じバンドを係止する係止部を形成して構成することができる。また、前記綴じバンドの先端にバンド幅より大きい幅の抜け止めを形成するとともに、前記係止部に綴じバンドの抜け止めが挿入できる長さの抜け止め挿入部を連続して形成してもよい。
【０００８】
【実施例】
実施例１
図１は本発明の綴じ具の平面図であり、（ａ）は本発明の一実施例を示す図、（ｂ）は本発明の他の実施例を示す図であり、（ｃ）は本発明の綴じバンドの各種の形状を示す図である。図２は綴じバンド用プレートと綴じバンド係止プレートを重ねた状態を示す縦断面図、図３は本発明の綴じ具をファイルに取り付けた状態を示す図である。
【０００９】
図１（ａ）において、綴じ具１は、可撓性のある一枚の綴じプレートで形成され、二つ折りできるように復元力のあるやや弾性を有する材質で形成し、例えば、ポリプロピレンなどの合成樹脂で形成する。
【００１０】
綴じプレートの折り目２ａは、綴じプレートを二つ折りにするものであるが、二つ折りし易いように折り目２ａの長さを短くするため、間隔をおいて台形の切り抜き孔３を形成して折り目２ａの長さを短くしてもよい。
【００１１】
また、折り目２ａに平行に背形成用折り目２ｂを形成して、綴じ込むシートの枚数がおおくなった場合、綴じ具１に背を形成してシートを綴じ込み易くしてもよい。
【００１２】
なお、好ましくは、背形成用折り目２ｂは折り目２ａより折りにくくして、例えば、台形の切り抜き孔３の長辺により、背形成用折り目２ｂの長さを長くする。
【００１３】
綴じプレートの折り目２ａを境に、一方の側にプレートの端縁に綴じ込むシートの綴り孔に通すための帯状の綴じバンド４が連結された綴じバンド用プレート５が形成される。綴じバンド４の数は、任意であり、シートの大きさや綴じ孔の数により、適宜選択することができる。
【００１４】
また、綴じプレートの折り目を境に、他方の側には綴じバンド用プレート５の綴じバンド４を通して係止する係止部６を綴じバンド４の幅方向に平行に形成した綴じバンド係止プレート７が形成される。この実施例においては、係止部６の形状を綴じバンド４を通す幅を有する孔で形成したが、図１（ｂ）に示すように、台形のスリット状に形成してもよい。
【００１５】
また、綴じバンド用プレート５に形成された綴じバンド４の長さは、綴じバンド４を綴じバンド係止プレート７の係止部６に係止し、綴じたシートを開いた際に綴じバンド７が係止部６から抜けない長さとする。綴じバンド４の先端には、綴じバンド係止プレート７の係止部６に挿入後に抜けないようにするため、銛形の抜け止め８を形成してもよい。綴じバンド４が銛形の抜け止め８を有する場合、綴じバンド係止プレート７の係止部６は、銛形の抜け止め８を通すために、係止部６に連続して、銛形の抜け止め８の幅より長い抜け止め挿入部１３を形成する。
【００１６】
なお、綴じバンド４の先端の形状は、リボン状や、抜け止め８の形状として、図１（ｃ）に示すように、鋸形の他にやじり形など各種の形状を用いることができる。
【００１７】
図２及び図３に示すように、綴じバンド用プレート５の端縁に形成された綴じバンド４の基部９の位置は、綴じプレート５を折り目２ａに沿って二つ折りして重ねた時に、綴じバンド係止プレート７の係止部６の位置より折り目２ａ側にｔだけずらせた位置に形成する。綴じバンド４と係止部６とがｔだけずれている位置関係により、綴じバンド４は、綴じ込まれたシートを開いた時にアーチ形状に形成され、また、閉じて二つ折りにしたときに、図２（ａ）及び図３（ａ）に示すように、係止部６に係止されている綴じバンド４が綴じバンド係止プレート７に押えられて綴じバンド用プレート５側に傾斜した状態になる。そのため、綴じ具１をファイル１０の裏表紙１１に取り付けた場合、図２（ｂ）及び図３（ｂ）に示すように、綴じバンド係止プレート７により押さえられた綴じバンド４が表紙１２により裏表紙１１側に容易に押さえることが可能となる。
【００１８】
次に本発明の綴じ具１を取り付けたファイルについてその使用方法について説明する。図４はシートを綴じ込んでファイルの表紙を開いた状態を示す斜視図、図５はシートを開いた状態を示す図である。
【００１９】
図４において、ファイル１０の裏表紙１１に取り付けた綴じ具１の綴じバンド４を、シート１４の綴り孔１５に通した後、綴じバンド係止プレート７の係止部６に通して係止する。図５に示すように、綴じバンド４に沿ってシートの綴り孔を表紙側あるいは裏表紙側に移動させさてシート１４を開いた際には、シート１４を両側に平面状に見開きすることができる。
【００２０】
この状態から表紙１２を閉じると、綴じバンド４が綴じバンド係止プレート５に押えられて裏表紙１１側に傾斜した状態になるので、ファイルの表紙１２により押さえられる。綴じるシート１４の枚数が少ない場合には、図２に示すように、綴じ具１の背を形成することなく、ファイル１０を薄い状態にすることができる。したがって、ファイル１０を綴じた際に綴じ具１の背及び背表紙１６の幅を小さくできるので、ファイル１０の収納スペースを小さくすることができる。
【００２１】
綴じるシート１４の枚数が多い場合には、図３に示すように、背形成用折り目２ｂを折り曲げて綴じ具１の背を形成し、シートを綴じやすくすることができる。
【００２２】
実施例２
図６（ａ）は本発明の別実施例を示す図、（ｂ）は断面図である。実施例１と同一の構成には同一の符号を付し、その説明は省略する。
【００２３】
実施例１と異なる構成は、綴じバンド４を係止する部分であり、本実施例においては、綴じバンド係止プレート７に綴じバンド４をガイドするガイド孔６ｂを形成するとともに、綴じバンド係止プレート７に折り曲げ可能な係止部形成部７ａを形成し、この係止部形成部７ａに綴じバンド４を係止する係止部６として、例えば係止孔６ａを形成する。係止部及び綴じバンドは、図１に示す実施例１の係止部及び綴じバンドにしてもよい。
【００２４】
次に本実施例の綴じ具を取り付けたファイルについてその使用方法について説明する。図７はシートを綴じ込んでファイルの表紙を開いた状態を示す斜視図、図８はシートを開いた状態を示す図である。
【００２５】
図７において、ファイル１０の裏表紙１１に取り付けた綴じ具１の綴じバンド４を、シート１４の綴り孔１５に通した後、綴じバンド係止プレート７のガイド孔６ｂに通し、さらに外側に折り曲げられた係止部形成部７ａの係止孔６ａに通して係止する。
【００２６】
図８に示すように、綴じバンド４に沿ってシートの綴り孔を表紙側あるいは裏表紙側に移動させさてシート１４を開いた際には、シート１４を両側に平面状に見開きすることができる。
【００２７】
本実施例においては、綴じバンド４をガイド孔６ｂおよび外側に折り曲げられた係止部形成部７ａの係止孔６ａに通すので、綴じバンド４が外れにくくなる。また、綴じバンド４に対してガイド孔６ｂおよび係止孔６ａが移動し易いので、シートを容易に見開きにすることができる。
【００２８】
【発明の効果】
本発明の綴じ具により、シートを両側に平面状に見開きすることができ、また、綴じるシートの枚数が少ない場合には綴じ具と背表紙の幅を小さくできるため、限られた収納スペースに多くのファイルを収納することができるので、多種類の書類を整理することが可能となる。また、綴じるシートの枚数が多い場合には、綴じ具の背形成用折り目を曲げて背を形成することにより綴じやすくなる。
【００２９】
また、綴じバンドをガイド孔および外側に折り曲げられた係止部形成部の係止孔に通すことにより、綴じバンドを確実に係止することができるとともに、シートを見開きし易くなる。
【図面の簡単な説明】
【図１】  本発明の綴じ具の平面図である。（ａ）は、本発明の一実施例を示す図であり、（ｂ）は、本発明の綴じ具の係止部と抜け止め挿入部の他の実施例を示す図であり、（ｃ）本発明の綴じ具の抜け止めの他の実施例を示すものである。
【図２】  （ａ）綴じバンド用プレートと綴じバンド係止プレートを重ねた状態を示す縦断面図であり、（ｂ）本発明の綴じ具をファイルに取り付けた状態を示す図である。
【図３】  （ａ）綴じバンド用プレートと綴じバンド係止プレートを重ねた状態を示す縦断面図であり、（ｂ）本発明の綴じ具をファイルに取り付けた状態を示す図である。
【図４】  シートを綴じ込んでファイルの表紙を開いた状態を示す斜視図である。
【図５】  シートを開いた状態を示す斜視図である。
【図６】  （ａ）は本発明の別実施例を示す図、（ｂ）は断面図である。
【図７】  シートを綴じ込んでファイルの表紙を開いた状態を示す斜視図である。
【図８】  シートを開いた状態を示す図である。
【符号の説明】
１：綴じ具  ２ａ：折り目  ２ｂ：背形成用折り目  ２ｃ：綴じ具の背  ３：切り抜き孔  ４：綴じバンド  ５：綴じバンド用プレート  ６：係止部  ６ａ：係止孔  ６ｂ：ガイド孔  ７：綴じバンド係止プレート  ７ａ：係止部形成部  ８：抜け止め  ９：綴じバンド４の基部  １０：ファイル  １１：裏表紙（または表紙）１２：表紙（または裏表紙）１３：抜け止め挿入部  １４：シート  １５：綴り孔  １６：背表紙
【図１】
0003803060.tif 000002
【図２】
0003803060.tif 000003
【図３】
0003803060.tif 000004
【図４】
0003803060.tif 000005
【図５】
0003803060.tif 000006
【図６】
0003803060.tif 000007
【図７】
0003803060.tif 000008
【図８】
0003803060.tif 000009